(57)【要約】【課題】駐車場利用者が車の中にいても駐車装置の出入口扉を開閉操作することができ、また操作盤に付与されている機能も活用することができるようにして、利便性の向上を図った機械式駐車装置を提供する。【解決手段】利用者が所持している通常のタブレット液晶画面１１およびタブレット液晶画面表示処理部１８を備えたタブレット端末１０と、操作盤２またはその近傍にタブレット端末１０と通信可能なタブレット端末間通信部９を設け、タブレット端末１０に、出入口扉開閉処理アプリをインストールし、出入口扉開閉処理アプリを起動させたときのタブレット液晶画面１１にはタブレット液晶画面表示処理部によってタブレット端末１０の所持者が視覚的に操作盤２とほぼ同じ感覚で見ることができる操作関連表示を行い、操作盤２からの操作と同様の操作関連表示へのタッチ操作によってソフト上で割り付けられた信号を出入口扉開閉制御部１２へ送信する。【選択図】図４
2020070695.tif 000002
【特許請求の範囲】
【請求項１】
乗降室に至る出入口を開閉可能な出入口扉と、前記出入口扉の近傍に配置された操作盤と、前記操作盤の操作信号に基づいて前記出入口扉の開閉操作を行う出入口扉開閉制御部を有した機械式駐車装置において、駐車場利用者が所持している通常のタブレット液晶画面およびタブレット液晶画面表示処理部を備えたタブレット端末と、前記操作盤またはその近傍に前記タブレット端末と通信可能なタブレット端末間通信部を設け、前記タブレット端末に、出入口扉開閉処理アプリをインストールし、前記出入口扉開閉処理アプリを起動させたときの前記タブレット液晶画面には前記タブレット液晶画面表示処理部によって前記タブレット端末の所持者が視覚的に前記操作盤とほぼ同じ感覚で見ることができる操作関連表示を行い、前記操作盤からの操作と同様の操作関連表示へのタッチ操作によってソフト上で割り付けられた信号を前記出入口扉開閉制御部へ送信するように構成したことを特徴とする機械式駐車装置。
【請求項２】
前記操作盤には操作盤液晶画面を設け、前記出入口扉開閉制御部には、前記タブレット端末の使用状態における前記タブレット液晶画面への表示に同期して前記操作盤液晶画面の表示を切り替える液晶画面同期表示処理部を設けたことを特徴とする請求項１に記載の機械式駐車装置。
【請求項３】
前記操作盤には操作者への情報を表示して提供する操作盤液晶画面を設け、前記出入口扉開閉制御部には、前記タブレット端末の使用状態における前記タブレット液晶画面への表示に同期して前記操作盤液晶画面の表示を切り替える液晶画面同期表示処理部を設け、乗込室内には監視カメラを設置し、前記液晶画面同期表示処理部によって前記出入口扉を閉じる前における前記操作盤の前記操作盤液晶画面および前記タブレット液晶画面に、前記監視カメラから取得した画像を使用して同期した安全確認画面をそれぞれ表示したことを特徴とする請求項１に記載の機械式駐車装置。
【発明の詳細な説明】
【技術分野】
【０００１】
本発明は、車両の入出庫時に開閉操作される出入口扉を備えた機械式駐車装置に関する。
【背景技術】
【０００２】
従来の機械式駐車装置として、特開２０１５−１９４０４３号公報（特許文献１）が知られている。この特許文献１には、内蔵された電池から電力を供給され、リモコン信号を機械式駐車場設備へ送信する機械式駐車場設備の携帯型認証装置であって、本体の中央近辺に配置され、前記リモコン信号を送信するために、利用者によって操作される第１釦と、前記リモコン信号を送信するために、利用者によって操作される一つ以上の第２釦と、前記第１釦が操作された場合に利用者に視認可能な位置に配置され、前記第１釦又は前記第２釦が操作された場合に所定の表示を行う表示手段と、前記第１釦及び前記第２釦に対する操作の順番に応じた表示パターンを所定の表示時間で表示するように前記表示手段を制御する制御手段と、を備える機械式駐車場設備の携帯型認証装置が記載されている。
【先行技術文献】
【特許文献】
【０００３】
【特許文献１】特開２０１５−１９４０４３号公報
【発明の概要】
【発明が解決しようとする課題】
【０００４】
しかしながら、従来の機械式駐車装置は、出入口扉を開閉操作するための操作盤と専用リモコンを併用した場合、それぞれの操作が異なるために両者の操作方法をそれぞれ習得しなければならず、利便性が失われていた。また、操作盤として、乗込室内に設置したカメラによる画像表示を操作盤の液晶画面に表示して駐車場利用者に目視させることによって乗込室内の安全確認を行う構成のものが使用されると、駐車場利用者が専用リモコンを使用した場合に、この機能を活用することができない。
【０００５】
本発明の目的は、駐車場利用者が車の中にいても駐車装置の出入口扉を開閉操作することができ、また操作盤に付与されている機能も活用することができるようにして、利便性の向上を図った機械式駐車装置を提供することにある。
【課題を解決するための手段】
【０００６】
本発明は上記目的を達成するために、乗降室に至る出入口を開閉可能な出入口扉と、前記出入口扉の近傍に配置された操作盤と、前記操作盤の操作信号に基づいて前記出入口扉の開閉操作を行う出入口扉開閉制御部を有した機械式駐車装置において、駐車場利用者が所持している通常のタブレット液晶画面およびタブレット液晶画面表示処理部を備えたタブレット端末と、前記操作盤またはその近傍に前記タブレット端末と通信可能なタブレット端末間通信部を設け、前記タブレット端末に、出入口扉開閉処理アプリをインストールし、前記出入口扉開閉処理アプリを起動させたときの前記タブレット液晶画面には前記タブレット液晶画面表示処理部によって前記タブレット端末の所持者が視覚的に前記操作盤とほぼ同じ感覚で見ることができる操作関連表示を行い、前記操作盤からの操作と同様の操作関連表示へのタッチ操作によってソフト上で割り付けられた信号を前記出入口扉開閉制御部へ送信するように構成したことを特徴とする。
【０００７】
このような構成によれば、機械式駐車装置用としての専用のリモコンを使用するのではなく、駐車場利用者が日常生活の中で使用しているタブレット端末を駐車場利用時にも使用することができる。しかも、タブレット端末に元々備えられているタブレット液晶画面に、操作盤を直接見ているかのような画面表示として操作できるため、これまで使い慣れてきた操作盤の使い方を引き継ぐことができると共に、操作盤に付与されている機能も活用することができるので利便性の向上を図ることができる。
【０００８】
また本発明は上述の構成に加えて、前記操作盤に操作盤液晶画面を設け、前記出入口扉開閉制御部には、前記タブレット端末の使用状態における前記タブレット液晶画面への表示に同期して前記操作盤液晶画面の表示を切り替える液晶画面同期表示処理部を設けたことを特徴とする。
【０００９】
このような構成によれば、操作盤およびタブレット端末を並行して使用して出入口扉の開閉操作を行うことができるようになり、状況の変化に応じた利便性を向上させることができる。
【００１０】
また本発明は上述の構成に加えて、前記操作盤には操作者への情報を表示して提供する操作盤液晶画面を設け、前記出入口扉開閉制御部には、前記タブレット端末の使用状態における前記タブレット液晶画面への表示に同期して前記操作盤液晶画面の表示を切り替える液晶画面同期表示処理部を設け、乗込室内には監視カメラを設置し、前記液晶画面同期表示処理部によって前記出入口扉を閉じる前における前記操作盤の前記操作盤液晶画面および前記タブレット液晶画面に、前記監視カメラから取得した画像を使用して同期した安全確認画面をそれぞれ表示したことを特徴とする。
【００１１】
このような構成によれば、出庫時においても、駐車場利用者は乗降室から出た駐車車両に乗り込んだ状態のまま、安全確認画面を見て乗降室内の安全確認を行ってから出入口扉の閉操作を行うことができる。
【発明の効果】
【００１２】
本発明による機械式駐車装置によれば、機械式駐車装置用としての専用のリモコンを使用するのではなく、駐車場利用者が日常生活の中で使用しているタブレット端末を駐車場利用時にも使用することができる。しかも、タブレット端末に元々備えられているタブレット液晶画面に、操作盤を直接見ているかのような画面表示として操作できるため、これまで使い慣れてきた操作盤の使い方を引き継ぐことができると共に、操作盤に付与されている機能も活用することができるので利便性の向上を図ることができる。
【図面の簡単な説明】
【００１３】
【図１】本発明の一実施例による機械式駐車装置の出入口扉近傍を示す正面図である。
【図２】図１に示した機械式駐車装置における操作盤の拡大図である。
【図３】予め登録された駐車場利用者が自分個人用として所持しているタブレット端末を示す正面図である。
【図４】操作盤およびタブレット端末と連携して制御を行う機械式駐車装置の出入口扉開閉制御部の要部を示すブロック構成図である。
【図５】図３に示したタブレット端末におけるタブレット液晶画面の初期状態を示す正面図である。
【図６】図２に示した操作盤における操作盤液晶画面の初期状態を示す正面図である。
【図７】図１に示した出入口扉の開閉制御を行う機械式駐車装置の出入口扉開閉制御部の処理動作を示すフローチャートである。
【発明を実施するための形態】
【００１４】
以下、本発明の実施例を図面に基づいて説明する。
【実施例１】
【００１５】
図１は、本発明の一実施例による機械式駐車装置の出入口扉近傍を示す正面図である。
【００１６】
機械式駐車装置内への出入口には、上下方向に移動して開閉される出入口扉１が付設されており、その近傍の外壁面には、通常、出入口扉１の開閉操作するために使用される操作盤２が配置されている。
【００１７】
図２は、図１に示した操作盤２の拡大図である。
操作盤２には、タッチパネル式の操作盤液晶画面３と、その操作を補足する音声案内を行うためのスピーカ４と、出入口扉１を開動作させるときに駐車場利用者によって操作される出入口扉開ボタン５と、出入口扉１を閉動作させるために駐車場利用者によって操作される出入口扉閉ボタン６と、緊急時に操作される緊急停止ボタン７と、駐車場利用者が予め所持しているＩＣカードなどから情報を読み取るＩＣカード読み取り部８などを有している。
【００１８】
上述したタッチパネル式の操作盤液晶画面３は、駐車場利用者に対して特定の操作を促す表示画面や、暗証番号などの入力操作を可能にするための暗証画面入力画面や、乗降室内に設置した監視カメラの映像を表示してこれを見た駐車場利用者が安全確認を行う安全確認画面などを切り替え表示可能な機能を持つものとして操作盤２に組み込まれている。
【００１９】
このような構成の制御盤２は次のように操作されて、出入口扉１を開閉動作することになる。通常、駐車車両の入庫操作を行う場合、駐車車両から降りた駐車場利用者は、図１に示した操作盤２の前に立つと、操作盤液晶画面３の初期画面によって登録者かどうかの認証のためにＩＣカードやタグなどをＩＣカード読み取り部８にかざすように促される。そこで、駐車場利用者は、自分が所持しているＩＣカードをＩＣカード読み取り部８にかざすと、図示しない制御部は登録者であることの判定処理を行った後、操作盤液晶画面３の表示を切り替えて出入口扉開ボタン５を押下操作するよう促される。この操作によって出入口扉１が自動で開状態にされた後、駐車場利用者は、駐車車両を運転して出入口扉１の奥側に形成されている乗降室に入って駐車車両を所定の位置に停車させ、機械式駐車装置側に駐車車両を預ける。
【００２０】
その後、駐車場利用者は乗降室から出てきて操作盤２の前に再び立ち、入庫完了操作として出入口扉１を閉じようとすると、操作盤液晶画面３の表示が切り替えられていて乗降室内の安全確認と、再度の認証処理を行うように促される。今回の認証は、他の駐車場利用者によって誤って出入口扉閉ボタン６の閉操作が行われると、現在入庫操作中の駐車場利用者が乗込室に閉じ込められることになってしまうので、これを防止するために行うものである。その後、操作者が同一であることが確認されると、操作盤液晶画面３の表示が切り替えられて出入口扉閉ボタン６の閉操作を行うように促される。そこで、駐車場利用者は出入口扉閉ボタン６を押下操作すると、出入口扉１が元の閉状態とされる。
【００２１】
このように出入口扉１の開閉操作は通常、操作盤２から行われるが、本機械式駐車装置では出入口扉１の開閉操作を行う第二の手段が追加されている。図２に示した操作盤２またはその近傍には、この第二の手段の構成のために、詳細については後述するタブレット端末と通信を行うタブレット端末間通信部９が設けられている。次に、第二の手段のための他の構成について説明する。
【００２２】
図３は、予め登録された駐車場利用者が自分個人用として所持しているタブレット端末を示す正面図である。
タブレットまたは携帯電話機などのタブレット端末１０は、予め登録された駐車場利用者が自分個人用として日常生活の中で通常使用しているもので、機械式駐車装置としての専用機ではない。タブレット端末１０には、出入口扉開閉処理アプリが予めインストールされており、タブレット液晶表示部１１には、出入口扉開閉処理アプリを起動させたときタブレット端末間通信部９との間での通信を行いながら、タブレット端末１０の所持者が視覚的に操作盤２とほぼ同じ感覚で見て操作を行うことができるように表示または切り替え表示が行われる。
【００２３】
図４は、操作盤２およびタブレット端末１０と連携して制御を行う機械式駐車装置の出入口扉開閉制御部の要部を示すブロック構成図である。
【００２４】
この出入口扉開閉制御装置１２は、操作盤２の操作盤液晶画面３の切り替え表示や各部の操作信号を取り込んで機械式駐車装置側を制御する通常構成部１３の他に、タブレット端末１０から操作盤２に追加されたタブレット端末間通信部９を通して最初の認証のための信号を受信したとき登録機器の照合を行う登録機器照合処理部１４と、タブレット端末間通信部９を通して二度目の認証のための信号を受信したとき、二度目の認証信号と最初の認証信号を比較して同一性を判定する今回機器利用同一性判定処理部１５と、タブレット端末１０からタブレット端末間通信部９を通して取り込んだ各種信号に基づいて操作盤２の操作盤液晶画面３の表示を、タブレット端末１０のタブレット液晶表示部１１の表示に同期させる液晶画面同期表示処理部１６を有している。
【００２５】
タブレット端末１０は、図３に示したようにタブレット液晶画面１１を備えており、その制御系としては、図４に示すように信号の送受信を行う信号送受信部１７と、タブレット端末１０全体の制御部１８と、各種の操作信号に基づいてタブレット液晶画面の表示を制御するタブレット液晶画面表示処理部１９を備えている。
【００２６】
このタブレット端末１０において、専用ソフトである出入口扉開閉処理アプリを起動させると、タブレット液晶画面表示処理部１９によってタブレット液晶画面１１にはタブレット端末１０の所持者が視覚的に操作盤２とほぼ同じ感覚で見ることができる表示と、その表示の切り替えが行われる。しかも、タブレット液晶画面１１における表示には、操作盤２の操作盤液晶画面３の表示と同様に、ハードスイッチがソフト上に設けられており、また、操作盤２に設けられた出入口扉開ボタン５および出入口扉閉ボタン６に対応するタッチスイッチもソフト上に設けられており、駐車場利用者が操作盤２で操作できることはタブレット端末１０側でも全てできるようにされている。
【００２７】
図１に示した出入口扉１の手前における所定位置に駐車車両を停止させると、タブレット端末１０は操作盤２のタブレット端末間通信部９との間で通信可能な状態となる。運転手である駐車場利用者は、タブレット端末１０を使用して出入口扉開閉処理アプリを起動させると、タブレット液晶画面表示処理部１９によってタブレット液晶画面１１には操作盤２の初期画面と同じ画面が表示される。
【００２８】
図５および図６は、タブレット端末１０におけるタブレット液晶画面１１および操作盤２における操作盤液晶画面３の初期状態をそれぞれ示す正面図である。
【００２９】
例えば、タブレット液晶画面１１および操作盤液晶画面３はほぼ同じ認証画面表示となっており、駐車場利用者が所持しているＩＣカードをＩＣカード読み取り部８にかざすように促している。タブレット液晶画面１１および操作盤液晶画面３にはテンキー表示２０Ａ，２０Ｂがそれぞれ割り付けられており、このテンキー表示２０Ａ，２０Ｂがタッチ操作されると、それぞれの液晶画面表示処理部によってタブレット液晶画面１１および操作盤液晶画面３が暗証番号認証画面に切り替えられる。
【００３０】
このようにＩＣカードを使用したり暗証番号を入力して登録機器と一致するかの認証処理を開始させると、予めプログラムされた一連の処理が開始され、認証処理開始信号に基づいてタブレット液晶画面１１および操作盤液晶画面３は次の処理を促す画面表示などに切り替えられる。このとき、タブレット端末１０だけが使用されたとしても、タブレット端末１０からの各種信号を出入口扉開閉制御装置１２が検出すると、図４に示した液晶画面同期表示処理部１６により操作盤２における操作盤液晶画面３もタブレット端末１０におけるタブレット液晶画面１１に同期して画面表示が切り替えられる。
【００３１】
図７は、操作盤２およびタブレット端末１０と連携して出入口扉１の開閉制御を行う機械式駐車装置の出入口扉開閉制御部１２の処理動作を示すフローチャートである。
【００３２】
上述したように図１に示した出入口扉１の前における所定位置に駐車車両を停止させ、運転手である駐車場利用者は、駐車車両に乗ったままタブレット端末１０を使用して出入口扉開閉処理アプリを起動させると、タブレット液晶画面表示処理部１９によってタブレット液晶画面１１には操作盤２の初期画面と同じ画面が表示される。
【００３３】
そこで、駐車場利用者は、出入口扉開閉処理アプリに基づいてタブレット端末１０から通信を行うと、登録機器照合処理部１４はステップＳ１で、照合処理を開始信号かどうかを判定する。その結果、認証処理開始信号であれば、登録機器照合処理部１４はステップＳ２で認証処理を開始する。
【００３４】
認証できないときはステップＳ３で、通信によってタブレット液晶画面表示処理部１９からタブレット液晶画面１１にエラー表示が行われる。しかし、認証できたとき登録機器照合処理部１４はステップＳ４で、認証許可コード送信処理を行う。これを受けたタブレット端末１０のタブレット液晶画面表示処理部１９はステップＳ５で、タブレット液晶画面１１を切り替えて次の処理を促し、一連の処理を行う。このとき、図４に示した液晶画面同期表示処理部１６により操作盤２における操作盤液晶画面３もタブレット端末１０におけるタブレット液晶画面１１に同期して画面表示が切り替えられる。
【００３５】
詳細な説明は省略しているが、一連の処理の中には出入口扉１の開操作があり、駐車場利用者が駐車車両に乗ったままの状態でタブレット端末１０を使用して出入口扉１が開かれたとき、駐車場利用者は駐車車両を運転して乗込室内に乗り込み、所定の位置に駐車車両を停止させる。次いで、駐車車両から降りた駐車場利用者は、乗込室を出て通信を継続できる範囲内に止まっていれば、タブレット端末１０におけるタブレット液晶画面１１を利用して出入口扉１を閉じるための処理を継続して行うことができる。
【００３６】
出入口扉１の閉操作を行う時点では、タブレット液晶画面１１の表示が切り替えられていて乗降室内の安全確認と、再度の認証処理を行うように促される。今回の認証は、他の駐車場利用者によって誤って出入口扉閉ボタン６の閉操作が行われると、現在入庫操作中の駐車場利用者が乗込室に閉じ込められることになってしまうので、これを防止するために行うものである。そこで、駐車場利用者はＩＣカードをかざすか暗証番号の入力を行う。すると、図４に示した出入口扉開閉制御部１２における今回機器利用同一性判定処理部１５は、この信号を受けて、今回機器がこれまでの一連の処理を行っている機器と同一であるかどうかを判定する。
【００３７】
今回機器利用同一性判定処理部１５が同一性を判定すると、タブレット液晶画面１１の表示が切り替えられて出入口扉閉ボタン６の閉操作を促す表示となる。そこで、駐車場利用者は出入口扉閉ボタン６の閉操作に相当する操作を行うと、出入口扉１が元の閉状態とされる。
【００３８】
その後、駐車場利用者が出入口扉開閉処理アプリを終了させるか、またはタブレット端末間通信部９からタブレット端末１０が所定距離だけ離れると、自動的にタブレット端末１０とタブレット端末間通信部９間の接続が解除される。
【００３９】
上述したように図４に示した液晶画面同期表示処理部１６により操作盤２における操作盤液晶画面３もタブレット端末１０におけるタブレット液晶画面１１に同期して画面表示が切り替えられているため、この出入口扉１の閉操作は、操作盤２の前に立った駐車場利用者が操作盤２から安全確認と二度目の認証を行った後、操作盤２における操作盤液晶画面３の表示に従って出入口扉閉ボタン６を直接押下しても良い。
【００４０】
出庫時についての説明は省略するが、タブレット端末１０にインストールされた出入口扉開閉処理アプリを使用して同様に行うことができる。このため、特に出庫時においては乗降室内で自分の駐車車両に乗り込んで乗降室を出た駐車場利用者が、従来のように駐車車両から降りて操作盤２の前に立って操作する必要がなくなり、引き続き駐車車両に乗り込んだ状態のままタブレット端末１０を使用して出入口扉１の閉操作を行うことができる。しかも、出入口扉１の閉操作を行う前に乗降室内の安全確認が求められたとしても、タブレット端末１０におけるタブレット液晶画面１１に、操作盤２における操作盤液晶画面３の場合と同様にカメラによって乗降室内を映し出されたものを見て安全確認ができる。
【００４１】
尚、本発明は上述した実施例に限らず、他の構成の操作盤２を使用し、この操作盤の操作方法に合わせた出入口扉開閉処理アプリをタブレット端末１０で使用することもできる。また、出入口扉１を開状態にした後、自動運転機能を有する駐車車両を自動運転によって乗降室内の所定位置に停止させることを組み込むこともできる。
【００４２】
以上説明したように本発明は、乗降室に至る出入口を開閉可能な出入口扉１と、出入口扉１の近傍に配置された操作盤２と、操作盤２の操作信号に基づいて出入口扉１の開閉操作を行う出入口扉開閉制御部１２を有した機械式駐車装置において、駐車場利用者が所持している通常のタブレット液晶画面１１およびタブレット液晶画面表示処理部１８を備えたタブレット端末１０と、操作盤２またはその近傍にタブレット端末１０と通信可能なタブレット端末間通信部９を設け、タブレット端末１０に、出入口扉開閉処理アプリをインストールし、出入口扉開閉処理アプリを起動させたときのタブレット液晶画面１１にはタブレット液晶画面表示処理部によってタブレット端末１０の所持者が視覚的に操作盤２とほぼ同じ感覚で見ることができる操作関連表示を行い、操作盤２からの操作と同様の操作関連表示へのタッチ操作によってソフト上で割り付けられた信号を出入口扉開閉制御部１２へ送信するように構成したことを特徴とする。
【００４３】
このような構成によれば、機械式駐車装置用としての専用のリモコンを使用するのではなく、駐車場利用者が日常生活の中で使用しているタブレット端末１０を駐車場利用時にも使用することができる。しかも、タブレット端末１０に元々備えられているタブレット液晶画面１１に、操作盤２を直接見ているかのような画面表示として操作できるため、これまで使い慣れてきた操作盤２の使い方を引き継ぐことができると共に、操作盤２に付与されている機能も活用することができるので利便性の向上を図ることができる。
【００４４】
また本発明は上述の構成に加えて、操作盤２に操作者への情報を表示して提供する操作盤液晶画面３を設け、出入口扉開閉制御部１２には、タブレット端末１０の使用状態におけるタブレット液晶画面１１への表示に同期して操作盤液晶画面３の表示を切り替える液晶画面同期表示処理部１５を設けたことを特徴とする。
【００４５】
このような構成によれば、操作盤２およびタブレット端末１０を並行して使用して出入口扉１の開閉操作を行うことができるようになり、状況の変化に応じた利便性を向上させることができる。
【００４６】
また本発明は上述の構成に加えて、操作盤２には操作盤液晶画面３を設け、出入口扉開閉制御部１２には、タブレット端末１０の使用状態におけるタブレット液晶画面１１への表示に同期して操作盤液晶画面３の表示を切り替える液晶画面同期表示処理部１５を設け、乗込室内には監視カメラを設置し、液晶画面同期表示処理部１５によって出入口扉１を閉じる前における操作盤液晶画面３およびタブレット液晶画面１１に、監視カメラから取得した画像を使用して同期した安全確認画面をそれぞれ表示したことを特徴とする。
【００４７】
このような構成によれば、出庫時においても、駐車場利用者は乗降室から出た駐車車両に乗り込んだ状態のまま、安全確認画面を見て乗降室内の安全確認を行ってから出入口扉１の閉操作を行うことができる。
【符号の説明】
【００４８】
１    出入口扉
２    操作盤
３    操作盤液晶画面
５    出入口扉開ボタン
６    出入口扉閉ボタン
９    タブレット端末間通信部
１０  タブレット端末
１１  タブレット液晶画面
１２  出入口扉開閉制御部
１５  液晶画面同期表示処理部
【図１】
2020070695.tif 000003
【図２】
2020070695.tif 000004
【図３】
2020070695.tif 000005
【図４】
2020070695.tif 000006
【図５】
2020070695.tif 000007
【図６】
2020070695.tif 000008
【図７】
2020070695.tif 000009